(57)【要約】【課題】  開口部を容易に開放することができ、かつ開放した状態においてもカバーの紛失を防止することができる電子機器のカバー取付構造およびこれを備える電子機器を提供すること。【解決手段】  電子機器の筐体に設けられた開口部１２に、ネジ１９を介してカバー１３を開閉可能に取り付ける電子機器のカバー取付構造において、前記カバー１３が、ネジ１９の止め点１４を中心として回動可能に支持されており、前記カバー１３を重力によって回動させることにより、前記開口部１２を開放することを特徴とする。【選択図】    図３
2005277307.tif 000002
【特許請求の範囲】
【請求項１】
電子機器の筐体に設けられた開口部に、ネジを介してカバーを開閉可能に取り付ける電子機器のカバー取付構造において、
前記カバーが、ネジの止め点を中心として回動可能に支持されており、前記カバーを重力によって回動させることにより、前記開口部を開放することを特徴とする電子機器のカバー取付構造。
【請求項２】
前記止め点が、閉姿勢にあるカバーの下部に設定されていることを特徴とする請求項１に記載の電子機器のカバー取付構造。
【請求項３】
前記止め点が、前記カバーの幅方向の中心に設定されていることを特徴とする請求項２に記載の電子機器のカバー取付構造。
【請求項４】
前記止め点が、前記カバーに対して偏心した位置に設定されていることを特徴とする請求項２に記載の電子機器のカバー取付構造。
【請求項５】
前記カバーが、閉姿勢で筐体に対して固定される係止部を備えることを特徴とする請求項１から請求項４のいずれか一つに記載の電子機器のカバー取付構造。
【請求項６】
前記係止部が、カバーの厚さ方向に延びる突起を備え、この突起の長さが前記ネジよりも短く設定されていることを特徴とする請求項５に記載の電子機器のカバー取付構造。
【請求項７】
請求項１から請求項６のいずれか一つに記載の電子機器のカバー取付構造を備えることを特徴とする電子機器。
【発明の詳細な説明】
【技術分野】
【０００１】
本発明は、電子機器の筐体に形成された開口部を開閉するためのカバー取付構造およびこれを備える電子機器に関するものである。
【背景技術】
【０００２】
近年、各種電子機器は、小型化、多機能化により、様々な外部機器などが着脱可能に接続されるようになっている。これら外部機器等を電子機器本体に接続するために筐体に開口部が形成されることが多い。つまり、この開口部を介して電子機器本体に外部機器等が接続されるものである。そしてこの開口部は、外部機器等を接続するときには開放されるようになっており、外部機器等を接続しないときにはネジを介してカバーなどで塞がれるようになっている。このようなカバーを取り付けるにはネジを介して取り付ける構造のものが一般的である。
【０００３】
しかし、このような構造では、開口部を開放するために、ネジを取り外して、カバーを完全に取り外す必要があるため、取り外し作業が面倒であるとともに、カバーやネジを紛失しやすかった。
【０００４】
そこで、カバーにスリットを設け、このスリットの側部にネジの頭部を支持するための係止用突部が設けられたものが紹介されている（例えば、特許文献１参照。）。これによれば、ネジを緩めるだけでスリットを介してカバーを取り外すことができるので、ネジの紛失を防止することができる。
【特許文献１】特開平１１−１６４５０８号公報
【発明の開示】
【発明が解決しようとする課題】
【０００５】
しかしながら、上記のような構造では、ネジを緩めるだけでカバーを取り外すことはできるものの、この取り外しの際、ネジを緩めた状態で薄いカバーの縁を指でつまんで引っ張り上げるなどの動作を行わなければならず、カバーの取り外し作業は依然として面倒であるという問題がある。また、取り外したカバーを紛失するおそれがあるということにも変わりはない。
【０００６】
本発明は、このような事情に鑑みてなされたもので、開口部を容易に開放することができ、かつ開放した状態においてもカバーの紛失を防止することができる電子機器のカバー取付構造およびこれを備える電子機器を提供することを目的としている。
【課題を解決するための手段】
【０００７】
上記課題を解決するために、本発明は以下の手段を提供する。
【０００８】
請求項１に係る発明は、電子機器の筐体に設けられた開口部に、ネジを介してカバーを開閉可能に取り付ける電子機器のカバー取付構造において、前記カバーが、ネジの止め点を中心として回動可能に支持されており、前記カバーを重力によって回動させることにより、前記開口部を開放することを特徴とする。
【０００９】
この発明に係る電子機器のカバー取付構造においては、開口部に開閉可能に取り付けられるカバーがネジの止め点を中心として回動可能に支持され、ネジを緩めてカバーを重力によって回動させることにより、開口部が開放される。
【００１０】
これにより、重力を利用するという簡易な作業によって開口部からカバーを簡単に外すことができ、開口部を容易に開放することができる。また、開口部が開放された状態においても、カバーは開口部を避けてネジを介して電子機器側に取り付けられたままであるので、カバーの紛失を防止することができる。
請求項２に係る発明は、請求項１に記載の電子機器のカバー取付構造において、前記止め点が、閉姿勢にあるカバーの下部に設定されていることを特徴とする。
【００１１】
この発明に係る電子機器のカバー取付構造においては、ネジの止め点が、閉姿勢にあるカバーの下部に設定されるため、ネジを緩めて、重力バランスを崩すことによって、重力によりネジの止め点を中心としてカバーが回動する。なお、閉姿勢とは、カバーが開口部に一致する位置に配され、開口部を閉じた状態をいう。
【００１２】
これにより、簡易な構成で確実に開口部を開放することができる。
請求項３に係る発明は、請求項２に記載の電子機器のカバー取付構造において、前記止め点が、前記カバーの幅方向の中心に設定されていることを特徴とする。
【００１３】
この発明に係る電子機器のカバー取付構造においては、カバーにより開口部を閉じてネジを締め付けると、その押圧力が幅方向の中心から漸次伝達される。
【００１４】
これにより、ネジを締め付けたときに、ネジの止め点からカバーの縁まで押圧力を均一にすることができ、密閉性や耐性を向上させることができる。
請求項４に係る発明は、請求項２に記載の電子機器のカバー取付構造において、前記止め点が、前記カバーに対して偏心した位置に設定されていることを特徴とする。
【００１５】
この発明に係る電子機器のカバー取付構造においては、ネジを緩めると、カバーの重力バランスが崩れ、止め点を中心としてカバーが直ちに回動する。
【００１６】
これにより、カバーを回転させ易くすることができ、開口部をさらに容易に開放することができる。
請求項５に係る発明は、請求項１から請求項４のいずれか一つに記載の電子機器のカバー取付構造において、前記カバーが、閉姿勢で筐体に対して固定される係止部を備えることを特徴とする。
【００１７】
この発明に係る電子機器のカバー取付構造においては、カバーを開口部に一致する位置に配して、開口部を閉じると、係止部により、カバーが閉姿勢で筐体に対して固定される。
【００１８】
これにより、ネジを締めるときに、このネジの締め付けに合わせてカバーが回転してしまうのを防止することができ、カバーの取り付け作業を容易にすることができる。
請求項６に係る発明は、請求項５に記載の電子機器のカバー取付構造において、前記係止部が、カバーの厚さ方向に延びる突起を備え、この突起の長さが前記ネジよりも短く設定されていることを特徴とする。
【００１９】
この発明に係る電子機器のカバー取付構造においては、突起の長さが、ネジよりも短く設定されているため、ネジを緩めると突起が直ちに外れ、係止状態が容易に解消される。
【００２０】
これにより、開口部の開放をさらに容易にすることができる。
【００２１】
請求項７に係る発明は、請求項１から請求項６のいずれか一つに記載の電子機器のカバー取付構造を備えることを特徴とする電子機器。
【００２２】
この発明に係る電子機器においては、請求項１から請求項６のいずれか一つに記載の電子機器のカバー取付構造により、開口部において、上記と同様の効果を奏することができる。
【発明の効果】
【００２３】
本発明によれば、重力を利用してカバーを回動させることにより、薄いカバーの縁を指でつまんだりすることなく、開口部を容易に開放することができ、かつ、カバーを開口部から外しても、カバー自体はネジを介して電子機器側に取り付けられたままであるので、カバーの紛失を防止することができる。
【発明を実施するための最良の形態】
【００２４】
（実施例１）
以下、本発明の第１実施例に係る電子機器のカバー取付構造について、図面を参照して説明する。
【００２５】
本実施例では、電子機器のカバー取付構造として、図１に示すヘルスケアシステム１で使用されるホームサーバ（電子機器）２に適用した場合を例として説明する。
【００２６】
上記ヘルスケアシステム１は、自宅Ｈ１で生活している被検者Ｐの血糖値や脈拍数等の生体情報を、医療機関等の健康管理ステーションＨ２で入手及び管理すると共に、入手した情報に基づいて健康管理ステーションＨ２から被検者Ｐに適切な指示等を与えることができるシステムである。
【００２７】
このヘルスケアシステム１は、上記被検者Ｐの、例えば、手首等に装着可能とされて被検者Ｐの生体情報を測定する腕時計型の生体情報端末３と、この生体情報端末３とＢｌｕｅｔｏｏｔｈ等の無線通信を行って、測定された生体情報を取得する上記ホームサーバ２と、このホームサーバ２と通信回線４を介して生体情報を入手すると共にその情報管理を行うセントラルサーバ５とを備えている。この通信回線４は、例えば、公衆回線網、専用線、ＬＡＮ（ローカルエリアネットワーク）、インターネット等の回線が１つ又は複数組み合わされて適用され、有線又は無線によって通信が行われるものである。
【００２８】
上記生体情報端末３は、測定した生体情報を上記ホームサーバ２に通信可能とされている。この通信としては、例えば、所定の時間間隔を空けて連続的に自動通信したり、あるいは、ある時刻に達したときに自動通信したり、あるいは、被検者Ｐの操作により通信されるよう設定されている。また、生体情報の送信だけでなく、例えば、ホームサーバ２を介してセントラルサーバ５からの制御信号を受信し、この制御信号を受けたときに生体情報をホームサーバ２に通信できるように設定されている。
【００２９】
上記セントラルサーバ５は、健康管理ステーションＨ２で医師や看護士等の管理者により操作され、入手した生体情報を管理者によって管理できるようになっている。また、セントラルサーバ５は、上記ホームサーバ２の動作を制御したり、ホームサーバ２にメッセージを送信したりするようになっている。
【００３０】
上記ホームサーバ２は、例えば、被検者Ｐの自宅Ｈ１内に設置されるものであり、図２に示すように、アルミや鉄等の金属材料により箱状に形成された筐体１０ａと、プラスチック等で形成されて筐体１０ａの上部に嵌合固定される本体蓋部１０ｂと、プラスチック等で形成されて筐体１０ａの前面に嵌合固定される前面ボード１０ｃとを有する本体１０を備えている。筐体１０ａが金属材料により形成されているのは、シールド効果を高め、不要輻射ノイズが外部に放射されるのを防止するためである。また、ホームサーバ２は、本体蓋部１０ｂの表面に配されて図１に示す生体情報端末３との間で生体情報の通信を行う無線アンテナ１１と、本体蓋部１０ｂの表面に配されて各種の操作を行う複数のボタン８と、本体蓋部１０ｂの表面に配されて作動状況に応じて発光する複数のＬＥＤ表示部９と、前面ボード１０ｃに固定されたスピーカ６とを備えている。
【００３１】
無線アンテナ１１は、本体蓋部１０ｂの表面に突出するよう設けられ、筐体１０ａ内に設けられた図示しない送受信部とにより生体情報の通信が可能とされている。
【００３２】
複数のボタン８は、押し下げ操作に応じて筐体１０ａ内部に設けられた図示しないＬＥＤからの光を透過させて、表面が発光する照光式押しボタンスイッチである。
【００３３】
また、スピーカ６は、例えば、円形状のスピーカであり、セントラルサーバ５から送られてきたメッセージや、その他各種情報をボタン８の操作に応じて音声出力するようになっている。
【００３４】
さらに、本実施例におけるホームサーバ２は、外部記憶媒体であるメモリーカードスロットＭを着脱可能に接続するためのスロット接続部７を備えている。このメモリーカードスロットＭは、各種生体情報やセントラルサーバ５からの指示等を記憶し、図１に示す被検者Ｐが自身の健康管理に利用するためのものである。スロット接続部７は、筐体１０ａの側面に形成された矩形の開口部１２と、この開口部１２に開閉可能に取り付けられる板状のスロットカバー（カバー）１３とを備えている。
【００３５】
開口部１２には、筐体１０ａ内に設けられる不図示の基板と電気的に接続された端子を有する矩形のスロット挿入孔１５が、開口部１２の中央に位置するように配置されている。また、スロット挿入孔１５の下方には、開口部１２の縁から一体的に形成された雌ネジ孔１８が形成されている。さらに、開口部１２の長さ方向の両端には、同長さ方向に向けられた切欠（係止部）１６が形成されている。
【００３６】
スロットカバー１３の、開口部１２を閉じた閉姿勢のときの下端部、すなわち重力方向の端部には、ネジ貫通孔（ネジの止め点）１４が形成されている。このネジ貫通孔１４は、スロットカバー１３の下端部において、そのスロットカバー１３の幅方向の中央に設定されている。さらに、スロットカバー１３の長さ方向の両端には、厚さ方向に延びる突起（係止部）１７が設けられている。この突起１７の長さ寸法は、スロットカバー１３を取り付けるネジ１９の長さ寸法より短く設定されている。
【００３７】
このような構成のもと、スロットカバー１３を開口部１２に一致する位置に配置すると、突起１７が切欠１６内に配され、これにより、スロットカバー１３が位置決めされるようになっている。また、上記一致させた状態で、ネジ１９を、ネジ貫通孔１４を介して、雌ネジ孔１８に螺合させると、開口部１２が塞がれ、閉状態となるようになっている。さらに、この閉状態から、ネジ１９を緩めると、突起１７の係合状態が解消されるとともに、ネジ貫通孔１４がスロットカバー１３の下端部に設けられているため、重力によりスロットカバー１３はネジ１９およびネジ貫通孔１４を中心として回動するようになっている。
【００３８】
次に、このように構成された電子機器のカバー取付構造において、メモリーカードスロットＭを着脱する際の、開口部１２の開閉の作用について説明する。
【００３９】
初期状態においては、図３（ａ）に示すように、スロットカバー１３のネジ貫通孔１４を介して、ネジ１９が雌ネジ孔１８に螺合されることにより、開口部１２が閉状態にされているものとする。この状態から、メモリーカードスロットＭをスロット挿入孔１５に挿入して装置本体に接続するときには、ネジ１９の頭部がスロットカバー１３の幅方向の後方に退避する所定の位置に配されるまでネジ１９を緩める。このときにはネジ１９は完全には取り外されず、雌ネジ孔１８に取り付けられたままの状態になっている。
【００４０】
そしてこの緩めた状態で、開口部１２が下方を向くようにホームサーバ２を手前に傾けることにより、スロットカバー１３をネジ１９の頭部まで退避させる。このとき、突起１７の長さ寸法はネジ１９の長さ寸法よりも短く設定されていることから、突起１７は切欠１６から完全に退避した状態に配される。すると、ネジ貫通孔１４がスロットカバー１３の下端部に設けられているため、スロットカバー１３は、揺らしたり触れたりすることにより、図３（ｂ）に示すように、バランスが崩れて重力によりネジ１９を中心として回動する。
【００４１】
そして、閉状態にある位置からネジ１９を中心として約１８０度回動した位置で、スロットカバー１３は重力バランスが取れ安定する。このとき、スロットカバー１３は筐体１０ａに取り付けられた状態のままであり、しかも開口部１２は開放され、開状態となる。これによりスロット挿入孔１５が外方に露出するため、メモリーカードスロットＭを、その露出したスロット挿入孔１５に挿入して、装置本体に接続する。
【００４２】
一方、上記接続した状態から、メモリーカードスロットＭを取り外したときには、開口部１２からの不要輻射ノイズの漏洩や塵埃の進入を防止するために、開口部１２を閉状態にする必要がある。そのため、まずスロットカバー１３を約１８０度反転させて、開口部１２に一致する位置に配する。すると、突起１７が切欠１６内に配される。この状態でネジ１９を締めると、ネジ１９とスロットカバー１３との間の摩擦により、スロットカバー１３に、ネジ１９に応じて回転する力が作用するが、これら突起１７と切欠１６により、その回転力が支持され、スロットカバー１３がネジ１９とともに回転するのが規制される。そしてネジ１９を強く締め付けることにより、スロットカバー１３は、開口部１２を閉じた状態で固定される。これにより、装置内が密閉され不要輻射ノイズの漏洩等が防止される。
【００４３】
以上より、スロットカバー１３を、重力を利用して回動させて開口部１２をオープンにするため、従来のように指先等で引っ張ったりする必要も無く、開口部１２を容易に開放することができる。
【００４４】
また、開口部１２を開状態にしても、スロットカバー１３はネジ１９を介して筐体１０ａに取り付けられたままであるので、ネジ１９およびスロットカバー１３の両者の紛失を防止することができる。
【００４５】
また、ネジ貫通孔１４は、スロットカバー１３の下端部に設けられているため、スロットカバー１３を確実に回動させることができるだけでなく、スロットカバー１３の幅方向の中央に設けられているため、ネジ１９を締め付けたときの押圧力をネジ貫通孔１４から均一に伝えることができ、装置本体の密閉性やスロット接続部７の耐性を向上させることができる。
【００４６】
さらに、ネジ１９を締める際に、突起１７が切欠１６内に配され、ネジ１９の締め付け動作に応じたスロットカバー１３の回転が防止されるため、スロットカバー１３の開口部１２内への取付作業を容易にすることができる。
【００４７】
また、突起１７の長さ寸法は、ネジ１９の長さ寸法より短く設定されているため、突起１７を切欠１６内から退避しやすくすることができるため、開口部１２の開放作業を容易にすることができる。
（実施例２）
図４は、本発明の第２の実施形態を示したものである。
【００４８】
図４において、図３に記載の構成要素と同一部分については同一符号を付し、その説明を省略する。
【００４９】
この実施例と上記第１の実施例とは基本的構成は同一であり、以下の点において相違した構成とするものである。すなわち、本実施例におけるスロット接続部７においては、開口部１２が縦長に形成されるとともに、スロットカバー１３もその縦長の開口部１２に合わせて縦型に配置されるものである。そして、スロットカバー１３の閉姿勢のときの下端部には、ネジ貫通孔１４が形成され、上端部には突起１７が設けられている。また開口部１２の上端に切欠１６が形成され、開口部１２を閉じたときに突起１７が切欠１６内に配されるようになっている。
【００５０】
以上より、上記と同様の効果を奏することができるだけでなく、スロットカバー１３のネジ貫通孔１４から上端までの距離が長くなるため、重力によるモーメントが大きくなり、スロットカバー１３を回動させ易くすることができる。
（実施例３）
図５は、本発明の第３の実施形態を示したものである。
【００５１】
この実施例と上記第１の実施例とは基本的構成は同一であり、以下の点において相違した構成とするものである。すなわち、本実施例においては、雌ネジ孔１８が開口部１２の下端部であって、その幅方向の端部に偏心した位置に設けられ、これに応じて、ネジ貫通孔１４もスロットカバー１３の幅方向の端部に偏心した位置に形成されたものである。
【００５２】
そのため、ネジ１９を緩めると、スロットカバー１３の重力バランスが崩れ、スロットカバー１３は、揺らしたり触れたりすることなく直ちに回動する。
【００５３】
これにより、スロットカバー１３を回動させ易くすることができる。
（実施例４）
図６は、本発明の第４の実施例を示したものである。
【００５４】
この実施例と上記第３の実施例とは基本的構成は同一であり、以下の点において相違した構成とするものである。すなわち、本実施例においては、雌ネジ孔１８が開口部１２の幅方向の端部であって、その上下方向の中央に設けられ、この雌ネジ孔１８に対向する位置に、ネジ貫通孔１４もスロットカバー１３の上下方向の中央に形成されたものである。
【００５５】
これにより、上記と同様の効果を奏することができるだけでなく、ネジ１９を締めたときの押圧力を均一に伝達させることができ、上記第４の実施例と比較して、密閉性や耐性を向上させることができる。
【００５６】
なお、上述の実施例１から４においては、電子機器としてホームサーバ２としたが、これに限ることはなく、他の電子機器であってもよい。
【００５７】
また、ホームサーバ２を傾けることにより、スロットカバー１３をネジ１９の頭部まで退避させるとしたが、これに限ることはなく、開口部１２の縁に凹部を設けることにより指先で簡単に移動させるようにしてもよい。
【００５８】
また、メモリーカードスロットＭを接続するとしたが、これに限ることはなく、他の外部機器やケーブル、バッテリーなどであってもよい。
【００５９】
さらに、切欠１６および突起１７を設けるとしたが、これは無くてもよい。ただし、これら切欠１６および突起１７を設ける方がネジ締めの際にスロットカバー１３の回転を防止して取り付けやすくなるのは上述したとおりである。また、切欠１６および突起１７としたが、これに限らず、スロットカバー１３を係止してネジ締めの際の回転を防止するものであれば、それらの形状、位置、個数などは適宜変更可能である。
【００６０】
なお、本発明の技術範囲は上記の実施例に限定されるものではなく、本発明の趣旨を逸脱しない範囲において、種々の変更を加えることが可能である。
【図面の簡単な説明】
【００６１】
【図１】本発明に係る電子機器のカバー取付構造およびホームサーバ（電子機器）の第１の実施例を示すための図であって、ホームサーバを構成品とするヘルスケアシステムの全体構成図である。
【図２】図１に示すヘルスケアシステムの構成品であって、本発明に係るホームサーバの外観図である。
【図３】本発明に係る電子機器のカバー取付構造の要部を示す図であって、（ａ）は開口部を閉状態に、（ｂ）は開口部を開状態にした様子を示す説明図である。
【図４】本発明に係る電子機器のカバー取付構造における第２の実施例の要部を示す説明図である。
【図５】本発明に係る電子機器のカバー取付構造における第３の実施例の要部を示す説明図である。
【図６】本発明に係る電子機器のカバー取付構造における第４の実施例の要部を示す説明図である。
【符号の説明】
【００６２】
２    ホームサーバ（電子機器）
１２  開口部
１３  スロットカバー（カバー）
１４  ネジ貫通孔（ネジの止め点）
１６  切欠（係止部）
１７  突起（係止部）
１９  ネジ
【図１】
2005277307.tif 000003
【図２】
2005277307.tif 000004
【図３】
2005277307.tif 000005
【図４】
2005277307.tif 000006
【図５】
2005277307.tif 000007
【図６】
2005277307.tif 000008